(57)【要約】【課題】車道と歩道との境界近傍における車両の走行性を確保するとともに、メンテナンス性を有する側溝を提供すること。【解決手段】縁石Ｅの車道側に沿って形成される通水穴２２ａ，３２ａが通行方向に延びる車道側グレーチング５，６によって覆われる一方、歩道側に拡張された升部３において縁石Ｅよりも歩道側に形成される歩道側開口部３２ｂが歩道側グレーチング７によって覆われることで、側溝１は、車道と歩道との境界近傍における車両の走行性を確保するとともに、メンテナンス性を有することができる。【選択図】図１
0003182522.tif 000002
【実用新案登録請求の範囲】
【請求項１】
車道と歩道との境界の下方に位置するとともに通行方向に延びる管状の側溝部と、
前記側溝部に連続するとともに道路の幅方向歩道側に拡張される拡幅部と、を有して形成され、
前記側溝部の上面には、前記境界に沿うとともに車道側の路面に開口する車道側開口部が形成され、
前記拡幅部の上面には、前記境界よりも歩道側の路面に開口する歩道側開口部が形成され、
前記車道側開口部には、該車道側開口部を覆うとともに水を通過させる車道側通水部材が設けられ、
前記歩道側開口部には、該歩道側開口部を覆うとともに水を通過させる歩道側通水部材が着脱可能に設けられていることを特徴とする側溝。
【請求項２】
前記側溝部と前記拡幅部とは、プレキャストコンクリート製として別体に形成されていることを特徴とする請求項１に記載の側溝。
【請求項３】
前記拡幅部の上面には、前記境界に沿うとともに車道側の路面に開口する第二車道側開口部が形成され、
前記第二車道側開口部には、該第二車道側開口部を覆うとともに水を通過させる第二車道側通水部材が設けられていることを特徴とする請求項１又は２に記載の側溝。
【請求項４】
前記側溝部は、上方に開口した凹状の樋状部と、前記樋状部を覆う天板部と、を有して構成され、
前記拡幅部は、上方に開口した凹状の箱状部と、前記箱状部を覆う拡幅天板部と、を有して構成され、
前記車道側開口部は、前記天板部に形成され、
前記歩道側開口部は、前記拡幅天板部に形成されていることを特徴とする請求項１〜３のいずれか１項に記載の側溝。
【請求項５】
前記車道側通水部材は、前記側溝部の上方に突出して設けられるとともに、前記境界よりも車道側において前記側溝部の上に設けられる舗装材の厚さに対応した高さ寸法を有して形成され、
前記歩道側通水部材は、前記拡幅部の上方に突出して設けられるとともに、前記境界よりも歩道側において前記拡幅部の上に設けられる舗装材の厚さに対応した高さ寸法を有して形成されていることを特徴とする請求項１〜４のいずれか１項に記載の側溝。
【考案の詳細な説明】
【技術分野】
【０００１】
本考案は、車道と歩道との境界近傍に設置される側溝に関するものである。
【背景技術】
【０００２】
従来、車道と歩道との境界の車道側に沿って通行方向に延びる通水金具を備えた側溝が提案されている（例えば、特許文献１参照）。特許文献１に記載された従来の側溝では、上面に形成される通水用の開口部が小さな幅方向（通行方向に対する直交方向）寸法を有するとともに通水金具によって覆われていることで、境界付近を通行する車両（例えば、自転車、オートバイ等の二輪車）の走行性が確保される。しかしながら、特許文献１に記載の側溝では、上面に清掃等のメンテナンスを行うための矩形状の開口部が形成されるとともにこの開口部が蓋部によって覆われており、この開口部の車道側端辺が通水金具よりも車道側に位置しているため、蓋材によってできる路面の繋ぎ目の上を車両が通行することとなり、走行性が損なわれてしまうという不都合があった。
【０００３】
一方、車道と歩道との境界の下方に設けられ、両者について排水機能を有する側溝も提案されている（例えば、特許文献２参照）。特許文献２に記載された従来の側溝では、車道及び歩道に排水性の舗装が施され、この排水性の舗装に浸透した水が溝部に導かれることで、車両の安全性を確保するとともに一つの側溝で車道側及び歩道側の排水が行えるようになっている。
【先行技術文献】
【特許文献】
【０００４】
【特許文献１】特開２００７−６３８８７号公報
【特許文献２】特開２０１０−１６８８０１号公報
【考案の概要】
【考案が解決しようとする課題】
【０００５】
しかしながら、特許文献２に記載の側溝では、開口部を有していないためメンテナンス性に劣るという不都合があった。
【０００６】
本考案の目的は、車道と歩道との境界近傍における車両の走行性を確保するとともに、メンテナンス性を有する側溝を提供することにある。
【課題を解決するための手段】
【０００７】
本考案の側溝は、車道と歩道との境界の下方に位置するとともに通行方向に延びる管状の側溝部と、前記側溝部に連続するとともに道路の幅方向歩道側に拡張される拡幅部と、を有して形成され、前記側溝部の上面には、前記境界に沿うとともに車道側の路面に開口する車道側開口部が形成され、前記拡幅部の上面には、前記境界よりも歩道側の路面に開口する歩道側開口部が形成され、前記車道側開口部には、該車道側開口部を覆うとともに水を通過させる車道側通水部材が設けられ、前記歩道側開口部には、該歩道側開口部を覆うとともに水を通過させる歩道側通水部材が着脱可能に設けられていることを特徴とする。
【０００８】
以上のような本考案によれば、境界近傍に沿って形成される車道側開口部を車道側通水部材が覆っていることで、車両が車道を走行する際に車道側通水部材が妨げとなることがなく、車両の走行性を確保することができる。さらに、拡幅部の境界よりも歩道側に歩道側開口部が形成されていることで、歩道側開口部は、車道を走行する車両の走行性を損なうことがなく、幅方向寸法を適宜設定することでメンテナンス用として使用することができる。また、歩道側通水部材が歩道側開口部に着脱可能に設けられていることで、歩道側開口部はメンテナンス用と通水用とを兼ねることができ、部品点数を少なくして低コスト化することができる。
【０００９】
この際、本考案の側溝では、前記側溝部と前記拡幅部とは、プレキャストコンクリート製として別体に形成されていることが好ましい。
【００１０】
このような構成によれば、幅方向寸法の異なる側溝部と拡幅部とを別体に形成することで、部材の形状を簡単化することができ、製造を容易化することができる。
【００１１】
さらに、本考案の側溝では、前記拡幅部の上面には、前記境界に沿うとともに車道側の路面に開口する第二車道側開口部が形成され、前記第二車道側開口部には、該第二車道側開口部を覆うとともに水を通過させる第二車道側通水部材が設けられていることが好ましい。
【００１２】
このような構成によれば、第二車道側開口部が設けられていることで、車両の走行性を損なうことなく、拡幅部も車道側の排水機能を有するため、車道側の排水をより確実に行うことができる。
【００１３】
また、本考案の側溝では、前記側溝部は、上方に開口した凹状の樋状部と、前記樋状部を覆う天板部と、を有して構成され、前記拡幅部は、上方に開口した凹状の箱状部と、前記箱状部を覆う拡幅天板部と、を有して構成され、前記車道側開口部は、前記天板部に形成され、前記歩道側開口部は、前記拡幅天板部に形成されていることが好ましい。
【００１４】
このような構成によれば、側溝部が樋状部と天板部とを有して構成され、拡幅部が箱状部と拡幅天板部とを有して構成されることで、それぞれ一体に形成される構成と比較して、構造を簡単化することができる。
【００１５】
また、本考案の側溝では、前記車道側通水部材は、前記側溝部の上方に突出して設けられるとともに、前記境界よりも車道側において前記側溝部の上に設けられる舗装材の厚さに対応した高さ寸法を有して形成され、前記歩道側通水部材は、前記拡幅部の上方に突出して設けられるとともに、前記境界よりも歩道側において前記拡幅部の上に設けられる舗装材の厚さに対応した高さ寸法を有して形成されていることが好ましい。
【００１６】
このような構成によれば、各通水部材の上面を歩道又は車道の路面と同一平面上に配することができる。また、車道と歩道との路面の高さの差が異なる場合においても、各通水部材の高さ寸法を適宜設定することで、共通の側溝部及び拡幅部を使用することができ、低コスト化することができる。
【考案の効果】
【００１７】
以上のような本考案の側溝によれば、車道側開口部が境界に沿って形成されるとともに、拡幅部において境界よりも歩道側に歩道側開口部が形成されることで、車道における車両の走行性を確保するとともに、メンテナンス性を有することができる。
【図面の簡単な説明】
【００１８】
【図１】本考案の実施形態に係る側溝を示す斜視図である。
【図２】前記側溝の一般部を示す側面図である。
【図３】前記一般部を示す上面図である。
【図４】前記側溝の升部を示す側面図である。
【図５】前記升部を示す上面図である。
【図６】前記側溝の乗入れ部を示す側面図である。
【図７】前記升部を示す断面図である。
【考案を実施するための形態】
【００１９】
以下、本考案の実施形態を図面に基づいて説明する。
【００２０】
図１〜７において、側溝１は車道及び歩道の排水を行うための側溝であって、車道の排水を行う側溝部としての一般部２と、車道及び歩道の排水を行う拡幅部としての升部３と、車両等が車道から歩道に乗入れるための乗入れ部４と、を有して構成されている。本実施形態において、道路の延びる方向を通行方向とし、車道と歩道との対向方向を幅方向とし、路面と直交する方向を深さ方向とする。一般部２と升部３と乗入れ部４とはそれぞれ通行方向に並設されている。側溝１は、プレキャストコンクリートにより別体に形成された一般部２と、升部３と、乗入れ部４と、が組み立てられ、完成後に図示しない舗装材によって上方が覆われることで車道面及び歩道面が形成され、上方に縁石Ｅが設けられることで車道と歩道との境界が決定され、乗入れ部４の上方に車道面と歩道面とに渡る斜面であるステップＳが設けられる。本実施形態において、側溝１は、歩道面が車道面よりもやや上方に形成されるセミフラット型の道路に設けられるものとする。
【００２１】
一般部２は、図２及び３に示すように、上方に開口した凹状の樋状部２１と、樋状部２１を覆う天板部２２と、を備えて通行方向に延びており、天板部２２はロックピン２３によって樋状部２１に固定されている。縁石Ｅは、幅方向において樋状部２１と略同一の中心位置を有するとともに、樋状部２１の内側よりも小さな幅方向寸法を有している。天板部２２には、車道側開口部としての複数の通水穴２２ａが形成され、複数の通水穴２２ａは、車道側において縁石Ｅに沿うとともにそれぞれが離隔して配されている。天板部２２の上方には、通水穴２２ａを覆う車道側通水部材としての車道側グレーチング５が設けられ、車道側グレーチング５は、網状に形成された通水部５１と、固定用のアングル部５２と、を有して一体に形成され、アングル部５２はボルト５３によって天板部２２に固定されている。このような通水部５１の上面は、車道面と略同一平面上に位置して露出し、縁石Ｅに沿って通行方向に延びて設けられるようになっている。
【００２２】
升部３は、図４，５及び７に示すように、上方に開口した凹状の箱状部３１と、箱状部３１を覆う拡幅天板部３２と、を備えて構成され、拡幅天板部３２はロックピン３３によって箱状部３１に固定されている。箱状部３１の内側は、樋状部２１の内側よりも幅方向及び深さ方向に大きな寸法を有しており、箱状部３１の通行方向両端に位置する接続板３１１には、樋状部２１の内側よりも底部がやや大きく面取りされた凹形状の切欠き３１２が形成されている。
【００２３】
拡幅天板部３２には、第二車道側開口部としての複数の通水穴３２ａと、略矩形状の歩道側開口部３２ｂと、が形成されるとともに、通水穴３２ａを覆う第二車道側通水部材としての車道側グレーチング６と、歩道側開口部３２ｂを覆う歩道側通水部材としての歩道側グレーチング７と、が設けられている。通水穴３２ａ及び車道側グレーチング６は、一般部２の通水穴２２ａ及び車道側グレーチング５と略同一の形状及び機能を有しているため、説明を省略する。歩道側開口部３２ｂは、縁石Ｅよりも歩道側において極力大きく開口するように形成されている。歩道側グレーチング７は、網状に形成された通水部７１と、通水部７１を支持する枠部７２と、枠部７２と一体に形成された固定用のアングル部７３と、を有して構成され、通水部７１は枠部７２に着脱可能に取り付けられ、アングル部７３はボルト７４によって拡幅天板部３２に固定されている。このような通水部７１は、上面が歩道面と略同一平面上に位置して露出するとともに、取り外すことで升部３内部をメンテナンス可能に設けられている。
【００２４】
乗入れ部４は、図６に示すように、上方に開口した凹状の乗入れ樋状部４１と、乗入れ樋状部４１を覆うとともにロックピン４３によって乗入れ樋状部４１に固定される乗入れ天板部４２と、を備えて構成される。乗入れ樋状部４１は樋状部２１と略同一の寸法、形状を有しており、乗入れ天板部４２は天板部２２と略同一の深さ方向寸法及び幅方向寸法を有している。即ち、乗入れ部４は一般部２と略同一の寸法及び形状の通行方向端面を有している。
【００２５】
次に、一般部２と升部３と乗入れ部４とのそれぞれの間の接続構造及び位置関係について説明する。ここで、一般部２と乗入れ部４とは、略同一の通行方向端面を有しているため、乗入れ部４についての説明は省略し、一般部２と升部３との接続構造及び位置関係についてのみ説明する。
【００２６】
一般部２と升部３とは、樋状部２１の内側の凹形状と接続板３１１の切欠き３１２の凹形状とを重ねるとともに、樋状部２１の通行方向端面が接続板３１１に当接して接続され、樋状部２１の水が箱状部３１の内部に流れ込んで排水されるようになっている。このとき、車道側グレーチング５，６、及び、縁石Ｅは一般部２と升部３との接続位置においてそれぞれ連続し、通行方向に延びている。また、拡幅天板部３２と天板部２２とは略同一の深さ方向位置に配されている。
【００２７】
このような本実施形態によれば、以下のような効果がある。
【００２８】
即ち、車道側グレーチング５，６が通行方向に縁石Ｅに沿って延びていることで、車道の縁石部Ｅ付近を通行する自転車、二輪車等の車両の通行の妨げとならず、走行性を確保することができる。
【００２９】
さらに、箱状部３１及び拡幅天板部３２の幅方向寸法を適宜設定することで、歩道側開口部３２ｂは、側溝１内部の清掃や補修等のメンテナンス作業が可能な幅方向寸法を有することができ、排水用とメンテナンス用とを兼ねることで部品点数を減らして低コスト化することができる。このとき、歩道側開口部３２ｂは、縁石Ｅよりも歩道側に形成されているため、メンテナンス用に十分な幅寸法を有していても車両の通行の妨げとならず、走行性を確保することができる。
【００３０】
また、車道側グレーチング５，６及び歩道側グレーチング７が天板部２２及び拡幅天板部３２の上方に設けられていることで、舗装材の厚さに合わせて深さ方向寸法を設定してそれぞれの上面を路面と略同一平面上に配することができ、舗装材の厚さが異なる場合でも一般部２及び升部３を共通化して用いることができ、低コスト化することができる。
【００３１】
なお、本考案は、前記実施形態に限定されるものではなく、本考案の目的が達成できる他の構成等を含み、以下に示すような変形等も本考案に含まれる。
【００３２】
例えば、前記実施形態では、一般部２、升部３、及び、乗入れ部４がそれぞれプレキャストコンクリートにより別体に形成されて接続されるものとしたが、現場打ち工法により形成されてもよく、現場打ち工法によって形成されれば、自由度が向上して設置場所に応じて適宜寸法等を変更することができる。
【００３３】
また、前記実施形態では、一般部２、升部３、及び、乗入れ部４においてそれぞれ樋状部２１，４１又は箱状部３１と天板部２２，３２，４２とが別体に形成される構成としたが、それぞれ一体に形成されていてもよく、このような構成によれば、部品点数を少なくするとともに製造工数を少なくすることができる。
【００３４】
また、前記実施形態では、車道側グレーチング５，６及び歩道側グレーチング７が天板部２２及び拡幅天板部３２の上方に設けられる構成としたが、各通水穴又は開口部に埋め込まれて上面が路面に露出する構成としてもよく、このような構成によれば、側溝１全体の深さ方向寸法を小さくすることができる。
【００３５】
また、前記実施形態では、歩道面が車道面よりもやや上方に位置するセミフラット型の道路に設けられる側溝１を例示したが、両者の段差が大きいマウントアップ型や両者が略同一平面上に位置するフラット型の道路に設けられてもよい。これらの場合においても、車道側グレーチング５，６及び歩道側グレーチング７は深さ方向寸法を適宜設定することで、各通水部の上面を路面と略同一平面上に配することができる。
【００３６】
また、前記実施形態では、一般部２と升部３と乗入れ部４を備えた構成としたが、乗入れ部４は横断歩道や駐車場等に対応して適宜な箇所に設けられていればよく、あるいは、乗入れ部４が省略されてステップコーナーが設けられていてもよい。また、一般部２と升部３と乗入れ部４は、道路や既設の下水配管等の状況に応じて適宜な寸法に設定されるとともに適宜組み合わせられていればよい。
【００３７】
その他、本考案を実施するための最良の構成、方法などは、以上の記載で開示されているが、本考案は、これに限定されるものではない。すなわち、本考案は、主に特定の実施形態に関して特に図示され、且つ、説明されているが、本考案の技術的思想および目的の範囲から逸脱することなく、以上述べた実施形態に対し、形状、材質、数量、その他の詳細な構成において、当業者が様々な変形を加えることができるものである。
【００３８】
従って、上記に開示した形状、材質などを限定した記載は、本考案の理解を容易にするために例示的に記載したものであり、本考案を限定するものではないから、それらの形状、材質などの限定の一部、もしくは全部の限定を外した部材の名称での記載は、本考案に含まれるものである。
【符号の説明】
【００３９】
１          側溝
２          一般部（側溝部）
３          升部（拡幅部）
５          車道側グレーチング（車道側通水部材）
６          車道側グレーチング（第二車道側通水部材）
７          歩道側グレーチング（歩道側通水部材）
２１        樋状部
２２        天板部
２２ａ      通水穴（車道側開口部）
３１        箱状部
３２        拡幅天板部
３２ａ      通水穴（第二車道側開口部）
３２ｂ      歩道側開口部
【図１】
0003182522.tif 000003
【図２】
0003182522.tif 000004
【図３】
0003182522.tif 000005
【図４】
0003182522.tif 000006
【図５】
0003182522.tif 000007
【図６】
0003182522.tif 000008
【図７】
0003182522.tif 000009